(57)【要約】【課題】発光素子ユニットを分割することにより、冷却のためのスペースを拡大し冷却を容易化した照明装置及びこれを用いた投写型映像表示装置を提供すること。【解決手段】本発明に係る照明装置１は、光源４としてレーザダイオード１２がアレイ状に配設された発光素子ユニット１３を対向して配置し、各発光素子ユニット１３から射出された光を反射ミラー１４により例えば９０度偏向させ、各発光素子ユニット１３からの光を同一目的方向に向かわせるようにして合成したものである。また、本発明に係る投写型映像表示装置は、このような照明装置１を用いたものである。このように発光素子ユニット１３を対向して配置することによりレーザダイオード１２の冷却を容易化している。【選択図】図１
2012118129.tif 000002
【特許請求の範囲】
【請求項１】
光源として、レーザダイオードをアレイ状に配設した発光素子ユニットを対向して配置し、各発光素子ユニットから射出された光を反射ミラーにより偏向させ、各発光素子ユニットからの光を同一目的方向に向かわせるようにし合成したことを特徴とする照明装置。
【請求項２】
前記対向して配置された発光素子ユニットは、それぞれが独立した冷却装置により冷却されるように構成されていることを特徴とする請求項１記載の照明装置。
【請求項３】
前記反射ミラーは、各発光素子ユニットに対し複数の分割反射ミラーが用いられるとともに、分割反射ミラーから反射される前記両発光素子ユニットからの分割反射光が交互に配列されるように、前記分割反射ミラーが配列されていることを特徴とする請求項１又は２記載の照明装置。
【請求項４】
前記発光素子ユニットは、蛍光体を励起させることのできる励起光用レーザダイオードをアレイ状にするとともに、発光素子ユニットから出射された励起光を蛍光体に照射し、この蛍光体を励起することにより緑色光を発光させ、この緑色光を緑色光源とすることを特徴とする請求項１〜３の何れか１項に記載の照明装置。
【請求項５】
前記対向して配置されている発光素子ユニットのうちの一方を青色レーザダイオードがアレイ状に配列されたものとするとともに、他方を赤色レーザダイオードがアレイ状に配列されたものとし、さらに、青色レーザダイオードがアレイ状に配列された発光素子ユニットから出射された青色光の一部を蛍光体に照射し、この蛍光体を励起することにより緑色光を発光させるようにして、赤色光、緑色光及び青色光を色時分割して出射するようにしたことを特徴とする請求項１〜３の何れか１項に記載の照明装置。
【請求項６】
照明装置から出射された光を変調装置により光変調し、変調された光を映像光として拡大投写する投写レンズを備えた投写型映像表示装置であって、前記照明装置として請求項１〜５の何れか１項に記載の照明装置が用いられていることを特徴とする投写型映像表示装置。
【発明の詳細な説明】
【技術分野】
【０００１】
本発明は、レーザダイオードをアレイ状に配置した発光素子ユニットを光源とした照明装置、及びこのような照明装置を用いた投写型映像表示装置に関する。
【背景技術】
【０００２】
従来、投写型映像表示装置などの照明装置としては、高圧水銀ランプやメダルハライドランプなどの放電系光源を用いたものが一般的である。しかし、高電圧光源が必要でありその取り扱いが容易でないこと、また、光源の寿命が短く耐衝撃性が低いなどの理由から、発光ダイオード（ＬＥＤ）やレーザダイオード（ＬＤ）を用いるものが開発されている。
【０００３】
発光ダイオードは、レーザダイオードより安価であるが、単体の発光ダイオードでは出力が弱いため多くの発光ダイオードを同時に用いる必要がある。しかしながら、多くの発光ダイオードを同時に使用する場合は、例えば特許文献１及び特許文献２に記載されているように集光構造が複雑になるという問題があった。これに対し、レーザダイオードの場合は、指向性が高いため集光し易く、高出力を得ることができるため、高い出力を要する光源としてレーザダイオードが用いられることが多くなってきている。
【０００４】
また、このような場合一般にレーザダイオードをアレイ状に配置した発光素子ユニットが用いられているが、レーザダイオードは温度が上昇すると発光能力が加速度的に低下するため、発光効率の低下や寿命の低下が問題となっていた。なお、このような発光素子ユニットを光源とした照明装置、投写型映像表示装置等の装置例としては、特許文献３、特許文献４、特許文献５、特許文献６などがある。
【先行技術文献】
【特許文献】
【０００５】
【特許文献１】特開２００５−２４８６４号公報
【特許文献２】特開２００４−２２００１５号公報
【特許文献３】特開２０１０−１９８７７２号公報
【特許文献４】特開２００９−８６２７０号公報
【特許文献５】特開２００９−４２７０３号公報
【特許文献６】特開２００６−６００３３号公報
【発明の概要】
【発明が解決しようとする課題】
【０００６】
ところで、このような発光素子ユニットは、レーザダイオードを配置する配置面を照射目的物に向う方向にし、この目的物に向かって光を出射する全てのレーザダイオードを一纏めにしてアレイ状に配置していた。このため、レーザダイオードを冷却するためのスペースを大きくすることが困難であり、高輝度化の要請に応えて十分な冷却性能を確保することが難しいという問題があった。加えて高輝度化の要請は年々高レベル化しておりますます対応が難しくなりつつある。
【０００７】
本発明は、このような背景に基づき、発光素子ユニットを分割することにより、冷却のためのスペースを拡大し冷却を容易化した照明装置及びこれを用いた投写型映像表示装置を提供することを目的とする。
【課題を解決するための手段】
【０００８】
上記目的を達成するために、本発明に係る照明装置は、光源として、レーザダイオードをアレイ状に配設した発光素子ユニットを対向して配置し、各発光素子ユニットから射出された光を反射ミラーにより偏向させ、各発光素子ユニットからの光を同一目的方向に向かわせるようにし合成したことを特徴とする。
【０００９】
このように構成されていると、発光素子ユニットにおけるレーザダイオードを配置する配置面を、目的物に向かう光の方向と平行な方向に広げることができるので、冷却のためのスペースを確保することが比較的容易となる。また、発光素子ユニットを対向して分散配置することができるため、従来１個に纏めて製作されていた発光素子ユニットを複数に、少なくとも２個に分割することができ冷却装置に必要なスペースを拡大している。また。これにより高輝度化の要請に応えることを容易化している。
【００１０】
また、前記対向して配置された発光素子ユニットは、それぞれが独立した冷却装置により冷却されるように構成されていることが好ましい。
このように構成されていると、各発光素子ユニットは、それぞれに最適な冷却方法により冷却することができるので、所望の冷却を行うことが容易になる。
【００１１】
また、前記反射ミラーは、各発光素子ユニットに対し複数の分割反射ミラーが用いられるとともに、分割反射ミラーから反射される前記両発光素子ユニットからの分割反射光が交互に配列されるように、前記分割反射ミラーが配列されていることが好ましい。
【００１２】
このように構成されていると、対向配置されている発光素子ユニットからの光が均等に混合分散されて目的物に照射されるため、一方の発光素子ユニットの輝度が低下した場合等によりバランスが低下したような場合にあっても輝度の均一化が行われる。
【００１３】
また、前記発光素子ユニットは、蛍光体を励起させることのできる励起光用レーザダイオードをアレイ状にするとともに、発光素子ユニットから出射された励起光を蛍光体に照射し、この蛍光体を励起することにより緑色光を発光させ、この緑色光を緑色光源とするようにしてもよい。
【００１４】
レーザダイオードに比較すると発光ダイオードの方が安全であり、コストも安いので所望の出力が得られる場合には発光ダイオードを用いるのが好ましいと考えられる。ところが、現状においては高出力の緑色発光ダイオードが実用化されるレベルまで発展していない。このため投写型映像表示装置などの高出力用途には、緑色発光ダイオードを使用することができないのが現状である。また、緑色レーザダイオードについても高出力のものはいまだ実用化されていない。そこで、このような場合に、前記のように構成すると、高出力の励起光用レーザダイオードを用いることにより高出力の緑色光を得ることができる。なお、励起光用レーザダイオードは、紫外線レーザダイオードや青色レーザダイオードを用いることができる。
【００１５】
また、前記対向して配置されている発光素子ユニットのうちの一方を青色レーザダイオードがアレイ状に配列されたものとするとともに、他方を赤色レーザダイオードがアレイ状に配列されたものとし、さらに、青色レーザダイオードがアレイ状に配列された発光素子ユニットから出射された青色光の一部を蛍光体に照射し、この蛍光体を励起することにより緑色光を発光させるようにして、赤色光、緑色光及び青色光を色時分割して出射するようにしてもよい。
【００１６】
このように構成されていると、対向するように配置された発光素子ユニットにより高出力の赤色光、緑色光、及び青色光を発生させることができる。また、このような色光を色時分割により発生させるので、投写型映像表示装置に利用することができる。
【００１７】
また、本発明に係る投写型映像表示装置は、照明装置から出射された光を変調装置により光変調し、変調された光を映像光として拡大投写する投写レンズを備えた投写型映像表示装置であって、前記照明装置として上記何れかの照明装置を用いたものである。
【００１８】
したがって、本発明に係る投写型映像表示装置によれば、レーザダイオードの特長を生かし、高出力、高寿命を実現することができる。
【発明の効果】
【００１９】
本発明に係る照明装置によれば、レーザダイオードを用いた発光素子ユニットにおける冷却スペースを拡大することができるので、高輝度化の要請に対応することが容易になる。また、本発明に係る投写型映像表示装置によれば、高出力、かつ高寿命を実現することができる。
【図面の簡単な説明】
【００２０】
【図１】本発明の実施の形態１に係る照明装置及びこれを用いた投写型映像表示装置の概略構成図である。
【図２】本発明の実施の形態２に係る照明装置及びこれを用いた投写型映像表示装置の概略構成図である。
【図３】本発明の実施の形態３に係る照明装置及びこれを用いた投写型映像表示装置の概略構成図である。
【図４】変形例に係る分割反射ミラーの構成図である。
【発明を実施するための形態】
【００２１】
（実施の形態１）
以下、本発明の実施の形態１に係る照明装置及びこれを用いた投写型映像表示装置について図１に基づいて説明する。
【００２２】
本発明の実施の形態１に係る投写型映像表示装置は、照明装置１から照射される色光を変調装置２に導き、変調された色光を映像光として投写レンズ３により拡大投写するものであって、変調装置２としてＤＭＤ（Digital Micromirror Device）と略称されているマイクロミラー素子からなる反射型表示素子を用いている。また本実施の形態に係る投写型映像表示装置は、緑色光（Ｇ光）光源として、青色レーザダイオード（ＬＤ）を蛍光体に照射することにより蛍光体を励起させて緑色光を発生させる光源を用いている。また、赤色光（Ｒ光）光源には赤色発光ダイオード（ＬＥＤ）を用い、さらに、青色光（Ｂ光）光源には青色発光ダイオード（ＬＥＤ）を用いている。
【００２３】
ここで、このような光源を用いた照明装置１について先ず説明する。照明装置１は上記のごとき光源４と、このような光源４から発生される光を変調装置２へ導く導光光学系５とからなる。
【００２４】
光源４を構成する光源の一つとしての緑色光源１１は、蛍光体を励起する光源として青色レーザダイオード（ＬＤ）１２が用いられている。青色レーザダイオード１２は、その出力を大きくするためにアレイ状に配設された発光素子ユニット１３として構成されている。この発光素子ユニット１３は２個用いられており、アレイ状に配設された青色レーザダイオード１２の光出射方向が対向するように配置されている。なお、各青色レーザダイオード１２の前方にはコリメートレンズ１２ａが配置され平行光を出射するように構成されている。そして、両発光素子ユニット１３が対向する中間空間に、各発光素子ユニット１３から射出された光を偏向する反射ミラー１４が設置されている。この反射ミラー１４は、各発光素子ユニット１３からの光を同一目的方向に向かわせるように偏向し（この場合は９０度偏向し）、これにより２個の発光素子ユニット１３からの光を合成している。
【００２５】
また、反射ミラー１４は、各発光素子ユニット１３からの光を複数の分割反射ミラー１４ａ，１４ｂにより反射するように構成されている。また、分割反射ミラー１４ａ，１４ｂから反射される分割反射光が交互に並んで目的物に向かって照射されるように、両発光素子ユニット１３からの出射光を反射する分割反射ミラー１４ａ，１４ｂが交互に、かつ片流れ式に平面視一直線上に位置するように配置されている。また、このように配列された分割反射ミラー１４ａ，１４ｂから反射された光はコンデンサレンズ１５で集光された後、コリメートレンズ１６で平行光にされる。そして、平行光は、青色光を透過し、緑色光を反射する特性を備えたダイクロイックミラー１７を透過し、コンデンサレンズ１８を介し、表面に蛍光体が塗布された反射ミラー１９に入射される。この蛍光体は、ＹＡＧ系材料からなるもので、青色レーザ光が照射されることにより緑色の蛍光光が発生するようになっている。したがって、ダイクロイックミラー１７を透過して青色レーザ光が蛍光体塗布の反射ミラー１９に照射されることにより、緑色光が発生するとともにダイクロイックミラー１７へ反射される。
【００２６】
ダイクロイックミラー１７へ反射された緑色光は、さらにこのダイクロイックミラー１７で反射されて、クロスダイクロイックプリズム２０へ入射される。クロスダイクロイックプリズム２０は、赤色光用の反射膜が蒸着された反射面と青色光用の反射膜が塗布された反射面とがクロス状に形成されているものであって、ダイクロイックミラー１７から入射した緑色光は、そのままこれら反射膜を透過して直進するように構成されている。
【００２７】
一方、クロスダイクロイックプリズム２０の側方には、赤色発光ダイオード（ＬＥＤ）から構成された赤色光光源２１が配置されるとともに、対向する他の側方には、青色発光ダイオードから構成された青色光光源２２が配置されている。赤色光光源２１から出射される赤色光及び青色光光源２２から出射される青色光は、それぞれコンデンサレンズ２３，２４を介してクロスダイクロイックプリズム２０に入射され、それぞれ反射膜により反射されて緑色光と同一の方向に出射される。
【００２８】
また、以上の構成において、発光素子ユニット１３には、青色レーザダイオード１２を冷却するための冷却装置が配置されている。また、赤色光光源２１及び青色光光源２２にも、発光ダイオードを冷却するための冷却装置が配置されている。これら冷却装置は、放熱板、冷却空気を送風する冷却ファン、ペルチェ素子などにより構成されるとともに、それぞれ独立的に構成されている。
【００２９】
本実施の形態において、光源４は以上のように構成されているが、赤色光、緑色光及び青色光が同時に出射されるのではなく、色時分割されて順次出射されるように制御されている。そして、時分割された色光が、次の導光光学系５へ出射される。
【００３０】
導光光学系５は、クロスダイクロイックプリズム２０から出射される光を集光するコンデンサレンズ２５、光源４から出射される色光の輝度分布を均一化するように作用する導光部材２６、この導光部材２６から射出される光を変調装置２へ導くためのリレーレンズ２７、コンデンサレンズ２８、反射ミラー２９などにより構成されている。なお、この導光部材２６としてはガラス製角棒からなるロッドインテグレータが使用されている。このような導光光学系を通過した光は、光変調を行う変調装置２へ導かれる。
【００３１】
変調装置２は、一般にＤＭＤ（Digital Micromirror Device）と略称されているマイクロミラー素子及びアブソーバ（吸収体、この図面では省略）を用いたものであって、ディジタル光変調が行われる。
【００３２】
ＤＭＤは、約５０万〜１３０万個のマイクロミラー素子がマトリックス状に敷き詰められた構造の半導体集積光スイッチであり、画像フレームにおける画素と、ＤＭＤにおけるマイクロミラー素子とが対応するように配列されている。ＤＭＤのマイクロミラー素子は、オンとオフの状態で±１０度程度傾斜が変化するように支柱に取り付けられており、オン状態において、マイクロミラー素子から反射された光は投写レンズ３を通してスクリーン（不図示）に投影されるように反射される。また、ＤＭＤのマイクロミラー素子は、オフ状態において、マイクロミラー素子から反射された光はオン状態の光線から約２０度傾斜する方向に配置されたアブソーバ（不図示）に吸収されるように反射される。
【００３３】
このように構成された変調装置２としてのＤＭＤは、照明装置１から時分割されて順次入射される赤色光、緑色光及び青色光に同期してマイクロミラー素子がオンオフされるとともにスイッチングレシオが制御される、所謂ＰＷＭ制御により光変調される。
【００３４】
投写レンズ３は、ＤＭＤのマイクロミラー素子がオン状態となって反射された出射光を、その光束を拡大してスクリーン等の投写面に投写するものであって、レンズ収差を小さくするために複数枚のレンズが組み合わされている。
【００３５】
以上のように構成された投写型映像表示装置において、光源の冷却は次のように行われる。
緑色光を発生させるために使用される青色レーザダイオード１２をアレイ状に並べられた発光素子ユニット１３では、光が目的物に向かって射出される方向に平行な面において青色レーザダイオード１２がアレイ状に配列されているので、青色レーザダイオード１２を配置する配置面を大きくすることが可能である。また、このようにすることにより冷却に必要なスペースを確保することが容易になる。
【００３６】
また、レーザダイオードをアレイ状に配設した発光素子ユニット１３の冷却を、この発光素子ユニット１３毎に独立して行うようにしている。これにより、それぞれ別個に最適設計が行われている。
【００３７】
以上のように構成された実施の形態１に係る照明装置１によれば、次の効果を奏することができる。
（１）発光素子ユニット１３における青色レーザダイオード１２を配置する配置面を、目的物に向かう光の方向と平行な方向に広げることができるので、冷却のためのスペースを確保することが比較的容易となる。
【００３８】
（２）また、発光素子ユニット１３を対向して分散配置しているため、従来１個に纏めて製作されていた発光素子ユニットを複数に、少なくとも２個に分割することにより、冷却装置のスペースを拡大することができる。これにより高輝度化の要請に応えることが容易になる。
【００３９】
（３）また、発光素子ユニット１３は、それぞれが独立した冷却装置により冷却されるように構成されているので、各発光素子ユニット１３は、それぞれに最適な冷却方法により冷却することができ、所要の冷却を行うことが容易になる。
【００４０】
（４）また、反射ミラ１４ーは、各発光素子ユニット１３に対し複数の分割反射ミラー１４ａ，１４ｂが用いられるとともに、分割反射ミラー１４ａ，１４ｂから反射される分割反射光が交互に配列されて合成されるように、分割反射ミラー１４ａ，１４ｂが配列されている。したがって、対向配置されている発光素子ユニット１３からの光が混合分散されて目的物に照射されるため、一方の発光素子ユニット１３の輝度が低下した場合等においても輝度の均一化が行われる。
【００４１】
（５）また、発光素子ユニット１３は、蛍光体を励起させることのできる青色レーザダイオード１２をアレイ状にするとともに、発光素子ユニット１３から出射された励起光を蛍光体に照射し、この蛍光体を励起することにより緑色光を発光させ、この緑色光を緑色光の光源とするようにしている。したがって、レーザダイオードを用いながら高出力の緑色光を得ることができる。
【００４２】
また、実施の形態１に係る投写型映像表示装置によれば、次の効果を奏することができる。
（６）本発明に係る投写型映像表示装置は、照明装置１から出射された光を変調装置２により光変調し、変調された光を映像光として拡大投写する投写レンズ３を備えた投写型映像表示装置であって、照明装置１は、光源として上記光源４を用いているので、レーザダイオードの特長を生かし、高出力、高寿命を実現することができる。
【００４３】
（実施の形態２）
次に実施の形態２について、図２に基づき説明する。
実施の形態２は、実施の形態１に係る投写型映像表示装置において、照明装置の光源として発光ダイオードを使用しないでレーザダイオードのみを使用するように変更したものである。なお、実施の形態１に係る投写型映像表示装置と同一又は同等の部分には同一の符号を付しその説明を簡略化又は省略する。
【００４４】
この実施の形態に係る投写型映像表示装置は、実施の形態１と同様、照明装置１から照射される色光を変調装置２に導き、変調された色光を映像光として投写レンズ３により拡大投写するものであって変調装置２としてＤＭＤを用いたものである。しかし、実施の形態１とは、照明装置１の光源４が相違する。
【００４５】
したがって、以下はこの投写型映像表示装置に関し、実施の形態１の場合との相違点を中心に説明する。
この投写型映像表示装置における照明装置１は、実施の形態１の場合と同様に、２個の発光素子ユニット３１，３２を、光の出射方向を対向させるようにして配置している。一方の発光素子ユニット３１は、実施の形態１の場合と同様に青色レーザダイオード３３をアレイ状に配置したものである。ただし、この青色レーザダイオード３３は、青色の光源と緑色の光源とを兼ねるため、その出力は実施の形態１の場合に比し倍以上にされている。また、他方の発光素子ユニット３２は、赤色レーザダイオード３４をアレイ状に配置したものである。なお、これら発光素子ユニット３１，３２においても、実施の形態１の場合と同様に青色レーザダイオード３３及び赤色レーザダイオード３４のそれぞれの前方にはコリメートレンズ３３ａ，３４ａが配置され、平行光が出射されるように構成されている。
【００４６】
発光素子ユニット３１，３２の中間に挟まれる反射ミラー１４は、実施の形態１のものと同様である。また、コンデンサレンズ１５、コリメートレンズ１６も実施の形態１と同様である。
【００４７】
発光素子ユニット３１，３２から出射された青色光及び赤色光は、反射ミラー１４の分割反射ミラー１４ａ，１４ｂでそれぞれ偏向され、コンデンサレンズ１５、コリメートレンズ１６で集光及び平行光化されてダイクロイックミラー３５を通過する。ダイクロイックミラー３５は、青色光及び赤色光を透過させ、緑色光を反射させる特性を有する。そして、ダイクロイックミラー３５を透過した青色光は回転ホイール３７に入射される。
【００４８】
回転ホイール３７は、基板が赤色光及び青色光を透過させる透過体から構成されており、その一部表面に蛍光体が塗布されるとともに、蛍光体が塗布されている部分の基板側に、つまりこの蛍光体が塗布された層と基板との間に反射ミラーが形成されている。また、この蛍光体には例えばＹＡＧ系の材料が使用されている。したがって、青色光が照射されると蛍光体が励起して緑色光を発生するようになっている。また、青色光のうち回転ホイール３７の蛍光体の部分へ入射した青色光は、蛍光体の励起により緑色光に変換される。また、変換された緑色光は、基板側の反射ミラーにより反射されコンデンサレンズ３６を介してダイクロイックミラー３５へ入射される。ところが、ダイクロイックミラー３５は緑色光を反射する特性を有するためダイクロイックミラー３８へと反射される。
【００４９】
ところで、ダイクロイックミラー３８は、緑色光を透過し赤色光及び青色光を反射する特性を有する。このため、ダイクロイックミラー３８へ入射された緑色光は、ダイクロイックミラー３８を透過し、コンデンサレンズ２５、導光部材２６などから構成される導光光学系５に入射される。
【００５０】
一方、ダイクロイックミラー３５から回転ホイール３７の蛍光体が塗布されていない部分へ入射した赤色光及び青色光は、回転ホイール３７の基板を透過し、コリメートレンズ３９を透過することにより略平行光となり、反射ミラー４０ａ，４０ｂで反射されてダイクロイックミラー３８に入射される。ところで、このダイクロイックミラー３８は緑色光及び青色光を反射するため、ダイクロイックミラー３８に入射された赤色光及び青色光は、９０度偏向されて導光光学系５に入射される。なお、この構成において、回転ホイール３７における作用により、緑色光と青色光とは時分割されている。
【００５１】
この実施の形態において、光源４は以上のように構成されているが、赤色光、緑色光及び青色光が同時に出射されるのではなく、色時分割されて順次出射されるように制御されている。そして、時分割された色光が、次の導光光学系５へ出射され、その後は実施の形態１と同様に処理される。したがって、発光素子ユニット３１，３２における青色光の発光と赤色光からの色光の出射は、回転ホイール３７による緑色光と青色光との時分割を考量するとともに、赤色光、緑色光及び青色光が所定通りに時分割されるように配慮されている。
【００５２】
本実施の形態に係る投写型映像表示装置は以上のように構成されているので、光源の冷却は、実施の形態１における発光素子ユニット１３の場合と同様に行われる。すなわち、発光素子ユニット３１，３２では、光が目的物に向かって射出される方向に平行な面において青色レーザダイオード３３及び赤色レーザダイオード３４がアレイ状に配列されるので、青色レーザダイオード３３及び赤色レーザダイオード３４を配置する配置面を大きくすることが可能である。また、このようにすることにより冷却に必要なスペースの確保が容易になる。
【００５３】
また、レーザダイオードをアレイ状に配設した発光素子ユニット３１，３２の冷却を、ユニット毎に独立させて行うようにしている。これにより、それぞれ別個に最適な冷却装置を設定することができる。
【００５４】
以上のように構成された実施の形態２に係る照明装置１によれば、実施の形態１における青色レーザダイオード１２がアレイ状に配設された発光素子ユニット２個のうちの１個を、赤色レーザダイオード３４がアレイ状に配列された発光素子ユニット３２に置き換えているが、冷却に関しては実施の形態１の場合に準じた効果を奏することができる。また、これに加えて次の効果を奏することができる。
【００５５】
（７）青色レーザダイオード３３がアレイ状に配列された発光素子ユニット３１と赤色レーザダイオード３４がアレイ状に配列された発光素子ユニット３２とが対向して配置されている。また、青色レーザダイオード３３がアレイ状に配列された発光素子ユニット３１から出射された青色光の一部を蛍光体に照射し、この蛍光体を励起することにより緑色光を発光させるようにして、赤色光、緑色光及び青色光を色時分割して出射するようにしているので、高出力の赤色光、緑色光、及び青色光を発生させることができる。また、このような色光を色時分割により発生せしめるので、投写型映像表示装置に利用することができる。
【００５６】
また、このように構成された投写型映像表示装置によれば、実施の形態１における（６）と同様の効果を奏することができる。
（実施の形態３）
次に実施の形態３について、図３に基づき説明する。
【００５７】
実施の形態３は、実施の形態１において変調方式を変更し、所謂３板式液晶プロジェクトに構成したものである。なお、実施の形態１に係る投写型映像表示装置と同一又は同等の部分には同一の符号を付しその説明を簡略化又は省略する。
【００５８】
この実施の形態における光源４の構成は実施の形態１とほぼ同様である。異なるのは、この投写型映像表示装置は所謂３板式液晶プロジェクトであるので、照明装置から出射される照明光を色時分割する必要がない。したがって、この実施の形態における光源４は、緑色光を発生する緑色光源１１、赤色光を発生する赤色光光源２１、青色光を発生する青色光光源２２が常時光を出射するように構成されている。
【００５９】
また、このように光源から同時に出射された赤色光、緑色光、及び青色光は、それぞれ液晶パネル、入射偏光板、出射偏光板からなるライトバルブ４１，４２，４３により変調される。そして、変調された赤色光、緑色光、及び青色光がクロスダイクロイックプリズム２０に同時に入射されて合成される。また、このようにして合成された色光が映像光として投写レンズ３により拡大、投射されて、スクリーン等の投写面に投影される。このため、この実施の形態の場合は、照明装置に格別の導光光学系が設けられていない。
【００６０】
上記のように構成された光源４の冷却は、実施の形態１の場合と同様に行われる。
また、このように構成された照明装置１は、実施の形態１の場合と同様に前記（１）〜（５）と同様の効果を奏することができる。
【００６１】
また、このように構成された投写型映像表示装置は、実施の形態１におけると同様に前記（６）の効果を奏することができるとともに、これに加えて次の効果を奏することができる。
【００６２】
（８）この実施の形態に係る投写型映像表示装置は、所謂３板式液晶プロジェクタとして構成されているので、安価で、明るく、多くの画像情報を用いることから高画質の映像が得られるなどの特徴を発揮することができる。
【００６３】
（変形例）
・実施の形態１〜３において、反射ミラー１４を構成する分割反射ミラー１４ａ、１４ｂの配置を、図４のように平面視クロス状に配列しても、実施の形態１の場合と同様の効果を奏することができる。
【００６４】
・実施の形態１及び３においては、蛍光体を励起するレーザダイオードとして青色波長域のレーザ光を射出する青色レーザダイオード１２としているが、このレーザダイオードを、紫外線を射出する紫外線レーザダイオードとしてもよい。
【００６５】
・実施の形態１及び２においては導光光学系５を照明装置の概念に含めているが、本発明においては、このような導光光学系５を除いた光源部分のみを照明装置１としてもよい。
【産業上の利用可能性】
【００６６】
本発明に係る照明装置は、投写型映像表示装置などに利用することができる。また、このような照明装置を用いた投写型映像表示装置は、ホームシアター、会議室、研修室、教室、娯楽場、各種展示室、スタジオなど多方面の施設における映像表示システムとして利用することができる。
【符号の説明】
【００６７】
１…照明装置、２…変調装置、３…投写レンズ、４…光源、１１…緑色光源、１２，３３…青色レーザダイオード、１３，３１，３２…発光素子ユニット、１４…反射ミラー、１４ａ、１４ｂ…分割反射ミラー、３４…赤色レーザダイオード。
【図１】
2012118129.tif 000003
【図２】
2012118129.tif 000004
【図３】
2012118129.tif 000005
【図４】
2012118129.tif 000006